(57)【要約】【課題】従来より強度を向上し且つ少ないコストで生産することができるスポーツ用防護マスクを提供する。【解決手段】  装着者の顔面の一部をカバーすることができる網状の第１の防護部３１と、第１の防護部３１から突起する第１の接続部３２とを有するように、金属材料により一体に作製されている第１のマスク部３と、装着者の顔面の前記一部以外の他の一部をカバーすることができる網状の第２の防護部４１と、第２の防護部４１から突起する第２の接続部４２とを有するように、金属材料により一体に作製されている第２のマスク部４と、を具えている上、第１の接続部３２と第２の接続部４２とにおける一方は、ソケット状に形成されている接続スロットを有するように形成され、他方は、前記接続スロットに挿し込んで接続することができる挿入タブを有するように形成されていることを特徴とするスポーツ用防護マスク。【選択図】図２
2016112413.tif 000002
【特許請求の範囲】
【請求項１】
装着者の顔面の一部をカバーすることができる網状の第１の防護部と、前記第１の防護部から突起する第１の接続部とを有するように、金属材料により一体に作製されている第１のマスク部と、
装着者の顔面の前記一部以外の他の一部をカバーすることができる網状の第２の防護部と、前記第２の防護部から突起する第２の接続部とを有するように、金属材料により一体に作製されている第２のマスク部と、
を具え、
前記第１の接続部と前記第２の接続部とにおける一方は、ソケット状に形成されている接続スロットを有するように形成され、他方は、前記接続スロットに挿し込んで接続することができる挿入タブを有するように形成されていることを特徴とする、
スポーツ用防護マスク。
【請求項２】
前記第１のマスク部において、前記第１の防護部は、装着者の顔面の上半部をカバーすることができるように網状に形成されており、そして前記第１の接続部は、前記第１の防護部において装着者から見た左右に一つずつ配置されている上、各前記第１の接続部は、前記接続スロットとして形成されている第１の接続スロットと、前記挿入タブとして形成されている第１の挿入タブとを有するように構成されており、
前記第２のマスク部において、前記第２の防護部は、装着者の顔面の下半部をカバーすることができるように網状に形成されており、そして前記第２の接続部は、２つの前記第１の接続部と向き合うことができるように前記第２の防護部において装着者から見た左右に一つずつ配置されている上、各前記第２の接続部は、前記接続スロットとして形成されて対応する前記第１の接続部における前記第１の挿入タブを受け入れることができる第２の接続スロットと、前記挿入タブとして形成されて対応する前記第１の接続部における前記第１の接続スロットに挿し込むことができる第２の挿入タブとを有するように構成されており、
更に、前記第１の挿入タブ及び前記第２の挿入タブは、台形の断面を有するように形成されており、そして前記第１の挿入タブ及び前記第２の挿入タブに対応する前記第１の接続スロット及び前記第２の接続スロットには、前記台形の断面に対応する収容溝が形成されていることを特徴とする、請求項１に記載のスポーツ用防護マスク。
【請求項３】
前記第１のマスク部における前記第１の接続部が有する前記第１の接続スロット及び前記第１の挿入タブと、前記第２のマスク部における前記第２の接続部が有する前記第２の接続スロット及び前記第２の挿入タブとには、それぞれ半田孔が形成されており、
前記第１の挿入タブに形成される前記半田孔は、対応する前記第２の接続スロットに挿し込む際において前記第２の接続スロットに形成される前記半田孔と連通するように対応して形成されていると共に、互いに連通する２つの前記半田孔内に注入される溶接材により前記第１の挿入タブは対応する前記第２の接続スロットに固定されていて、
前記第２の挿入タブに形成される前記半田孔は、対応する前記第１の接続スロットに挿し込む際において前記第１の接続スロットに形成される前記半田孔と連通するように対応して形成されていると共に、互いに連通する２つの前記半田孔内に注入される溶接材により前記第２の挿入タブは対応する前記第１の接続スロットに固定されていることを特徴とする、請求項２に記載のスポーツ用防護マスク。
【請求項４】
前記第１のマスク部における前記第１の防護部は、装着時において装着者から見た略左右方向に装着者の顔面の形状に対応して略円弧状に延伸する複数の第１の横棒と、前記略左右方向と略直交する上下方向に装着者の顔面の形状に対応して延伸し且つ各前記第１の横棒と一体に作製されている複数の第１の縦棒とにより網状に構成されている上、各前記第１の横棒及び各前記第１の縦棒は、いずれも装着者から見た前後方向における厚さが最も大きくなるように形成されていることを特徴とする、請求項１〜請求項３のいずれか一項に記載のスポーツ用防護マスク。
【請求項５】
前記第２のマスク部における前記第２の防護部は、装着時において装着者から見た略左右方向に装着者の顔面の形状に対応して略円弧状に延伸する複数の第２の横棒と、前記略左右方向と略直交する縦方向に装着者の顔面の形状に対応して延伸し且つ各前記第２の横棒と一体に作製されている複数の第２の縦棒とにより網状に構成されている上、各前記第２の横棒及び各前記第２の縦棒は、いずれも装着者から見た前後方向における厚さが最も大きくなるように形成されていることを特徴とする、請求項１〜請求項４のいずれか一項に記載のスポーツ用防護マスク。
【発明の詳細な説明】
【技術分野】
【０００１】
本発明はスポーツ用防護マスクに関し、具体的には球技で使用するスポーツ用防護マスクに関する。
【背景技術】
【０００２】
アメリカンフットボールまたはアイスホッケーのプレイヤーや野球の捕手などのスポーツ選手は、顔面及び頭部が外部からの衝撃により損傷を受けることを防止するために、一般にスポーツ用防護マスクを着用している。
【０００３】
従来のスポーツ用防護マスクは、例えば、図１に示されるように、円環状の第１の金属枠１１と、装着時において装着者から見た上方に開口を有するＵ字型に湾曲するように形成され、両端が第１の金属枠１１に溶接固定されている第２の金属枠１２と、装着時において装着者から見た略左右方向に装着者の顔面の形状に対応して略円弧状に延伸し、且つ各複数の第１の金属枠１１または第２の金属枠１２に溶接固定されている複数の第１の金属棒１３と、前記略左右方向と略直交する上下方向に装着者の顔面の形状に対応して延伸し、且つ各複数の第１の金属枠１１または第１の金属棒１３に溶接固定されている複数の第２の金属棒１４と、第１の金属枠１１と第２の金属枠１２との下側及び第１の金属棒１３に溶接固定されている下金属フレーム１４と、により構成され、そして各金属枠はアルミ合金により作製されている。
【０００４】
また、特許文献１に記載されているスポーツ用防護マスクも、マスクを構成する各金属棒または金属フレームは、溶接で接続されている。
【０００５】
しかし、このようなスポーツ用防護マスクを作製する際において行われる溶接工程は、専門の溶接工が必要なので、人件費が嵩張り、生産コストを抑えることが難しい欠点を有し、また、溶接によって接続される部分の強度は一体に成形された他の部分より低く、スポーツ中の衝撃により破断しやすい欠点もある。
【先行技術文献】
【特許文献】
【０００６】
【特許文献１】台湾特許公告第Ｉ２３４４３８号明細書
【発明の概要】
【発明が解決しようとする課題】
【０００７】
上記問題点に鑑みて、本発明は、従来より強度を向上し且つ少ないコストで生産することができるスポーツ用防護マスクの提供を目的とする。
【課題を解決するための手段】
【０００８】
上記目的を達成すべく、本発明は、装着者の顔面の一部をカバーすることができる網状の第１の防護部と、前記第１の防護部から突起する第１の接続部とを有するように、金属材料により一体に作製されている第１のマスク部と、装着者の顔面の前記一部以外の他の一部をカバーすることができる網状の第２の防護部と、前記第２の防護部から突起する第２の接続部とを有するように、金属材料により一体に作製されている第２のマスク部と、を具えている上、前記第１の接続部と前記第２の接続部とにおける一方は、ソケット状に形成されている接続スロットを有するように形成され、他方は、前記接続スロットに挿し込んで接続することができる挿入タブを有するように形成されていることを特徴とするスポーツ用防護マスクを提供する。
【発明の効果】
【０００９】
上記構成により、本発明のスポーツ用防護マスクは、一体に作製された第１のマスク部及び第２のマスク部を、それぞれ有する第１の接続部と第２の接続部とを溶接で接続することにより作製されるので、溶接箇所が第１の接続部と第２の接続部との接続のみであるため、全体の強度を向上することができる。また、本発明のスポーツ用防護マスクにおける第１の接続部及び第２の接続部にはそれぞれソケット状に形成された接続スロットと該接続スロットに挿し込んで接続することができる挿入タブが形成されているため、第１の接続部と第２の接続部との接続に精密な溶接作業を必要とせず、人件費を抑えることもできる。
【図面の簡単な説明】
【００１０】
【図１】従来のスポーツ用防護マスクを示す斜視図である。
【図２】本発明のスポーツ用防護マスクの一実施形態の斜視図である。
【図３】上記実施形態のスポーツ用防護マスクに装着手段が付けられる状態を示す断面図である。
【図４】上記実施形態のスポーツ用防護マスクの接続部を示す部分斜視図である。
【図５】上記実施形態のスポーツ用防護マスクの接続部が接続されている状態を示す部分断面図である。
【発明を実施するための形態】
【００１１】
以下では各図面を参照しながら、本発明の好ましい実施形態について詳しく説明する。
【００１２】
図２は、本発明のスポーツ用防護マスクの一実施形態の分解斜視図であり、図２に示されているように、本実施形態において、スポーツ用防護マスクは第１のマスク部３と、第２のマスク部４とにより構成されている。
【００１３】
また、図３に示されているように、第１のマスク部３と、第２のマスク部４とにより構成された本実施形態のスポーツ用防護マスクは、装着手段２で装着者の頭部に装着することができる。
【００１４】
装着手段２は、例えば弾性バンドや、面ファスナーなどにより構成され、スポーツ用防護マスクを装着者の頭部に装着できるように設置されている装着部を有するように構成されることができる。装着手段２の構成は、既知の構成を採用することができるので、本明細書では詳細な説明を省略する。
【００１５】
また、本発明のスポーツ用防護マスクと装着者の頭部との間には、発泡プラスチックや布などにより構成されて衝撃を吸収することができるクッション手段を配置することもできる。
【００１６】
図２に示されるように、第１のマスク部３は、装着者の顔面の一部をカバーすることができる網状の第１の防護部３１と、第１の防護部３１から突起する第１の接続部３２とを有するように、金属材料により一体に作製されている。
【００１７】
第２のマスク部４は、装着者の顔面の前記一部以外の他の一部をカバーすることができる網状の第２の防護部４１と、第２の防護部４１から突起する第２の接続部４２とを有するように、金属材料により一体に作製されている。
【００１８】
第１のマスク部３や第２のマスク部４の作製に用いられる金属材料としては、振動や衝撃を吸収しやすく、アルミ合金より軽く且つ強度が高く、リサイクル性に優れ、半溶解状態で射出成形できるなどの特性を有するマグネシウム合金を採用することが好ましい。マグネシウム合金のうち、ＡＺ９１Ｄ合金またはＡＭ５０合金を採用することが特に好ましい。
【００１９】
第１のマスク部３や第２のマスク部４を製造する際に、マグネシウム合金を該合金の相図における固液共存域に加熱すると、マグネシウム合金は、固液共存の半溶解状態になり、半溶解状態のマグネシウム合金を射出成形することにより、第１のマスク部３と第２のマスク部４とを成形する。
【００２０】
また、本発明のスポーツ用防護マスクにおいて、第１の接続部３２と第２の接続部４２とにおける一方は、ソケット状に形成されている接続スロットを有するように形成され、他方は、前記接続スロットに挿し込んで接続することができる挿入タブを有するように形成されている。
【００２１】
この実施形態においては図２に示されるように、第１のマスク部３の第１の防護部３１は、装着者の顔面の上半部をカバーすることができるように網状に形成されており、そして、第１の接続部３２は、第１の防護部３１において装着者から見た左右に一つずつ配置されている上、各第１の接続部３２は、前記接続スロットとして形成されている第１の接続スロット３３と、前記挿入タブとして形成されている第１の挿入タブ３４とを有するように構成されている。
【００２２】
第２のマスク部４の第２の防護部４１は、装着者の顔面の下半部をカバーすることができるように網状に形成されており、そして、第２の接続部４２は、２つの第１の接続部３２とそれぞれ向き合うことができるように第２の防護部４１において装着者から見た左右に一つずつ配置されている上、各第２の接続部４２は前記接続スロットとして形成されて対応する第１の接続部３２における第１の挿入タブ３４を受け入れることができる第２の接続スロット４３と、前記挿入タブとして形成されて対応する第１の接続部３２における第１の接続スロット３３に挿し込むことができる第２の挿入タブ４４とを有するように構成されている。
【００２３】
図４は、本実施形態のスポーツ用防護マスクの接続部を示す部分斜視図である。
【００２４】
図４に示されるように、第１の挿入タブ３４及び第２の挿入タブ４４は、台形の断面を有するように形成されており、そして第１の挿入タブ３４及び第２の挿入タブ４４に対応する第１の接続スロット３３及び第２の接続スロット４３には、前記台形の断面に対応する収容溝が形成されている。
【００２５】
更に、第１のマスク部３における第１の接続部３２が有する第１の接続スロット３３及び第１の挿入タブ３４と、第２のマスク部４における第２の接続部４２が有する第２の接続スロット４３及び第２の挿入タブ４４とには、それぞれ半田孔５が形成されている。
【００２６】
この実施形態において、図３及び図５に示されるように、第１の挿入タブ３４に形成される半田孔５は、対応する第２の接続スロット４３に挿し込む際において第２の接続スロット４３に形成される半田孔５と連通するように対応して形成されていると共に、互いに連通する２つの半田孔５内に注入される溶接材５１により、第１の挿入タブ３４と対応の第２の接続スロット４３とが固定されるようになる。
【００２７】
同じく、第２の挿入タブ４４に形成される半田孔５は、対応する第１の接続スロット３３に挿しこむ際において第１の接続スロット３３に形成される半田孔５と連通するように対応して形成されていると共に、互いに連通する２つの該半田孔５内に注入される溶接材５１により、第２の挿入タブ４４と対応の第１の接続スロット３３とが固定されるようになる。
【００２８】
また、第１の挿入タブ３４と第２の接続スロット４３との間の隙間及び第２の挿入タブ４４と第１の接続スロット３３との間の隙間にも、溶接材５１を注入して溶接することにより、互いに固定することができる。
【００２９】
即ち、第１の挿入タブ３４と第２の接続スロット４３とは溶接により互いに固定され、同じく、第２の挿入タブ４４と第１の接続スロット３３とは溶接により互いに固定されている。
【００３０】
第１のマスク部３における第１の防護部３１は、図２に示されるように、装着時に装着者から見た略左右方向に装着者の顔面の形状に対応して略円弧状に延伸する複数の第１の横棒３１１と、前記略左右方向と略直交する上下方向に装着者の顔面の形状に対応して延伸し且つ各第１の横棒３１１と一体に作製されている複数の第１の縦棒３１３とにより網状に構成されている。
【００３１】
第２のマスク部４における第２の防護部４１は、装着時に装着者から見た略左右方向に装着者の顔面の形状に対応して略円弧状に延伸する複数の第２の横棒４１１と、前記略左右方向と略直交する縦方向に装着者の顔面の形状に対応して延伸し且つ各第２の横棒４１１と一体に作製されている複数の第２の縦棒４１４とにより網状に構成されている。
【００３２】
この実施形態において、図２に示されるように、第１のマスク部３における第１の防護部３１は、第２のマスク部４に向く開口を有するＵ字型に湾曲するように形成されている第１の枠棒３１２と、両端それぞれが第１の枠棒３１２に接続されている２本の第１の横棒３１１と、２本の第１の横棒３１１を、または第１の横棒３１１と第１の枠棒３１２とを連接するように形成されている９本の第１の縦棒３１３とにより構成されている。
【００３３】
２本の第１の横棒３１１のうち１本の両端それぞれは、第１の枠棒３１２の両端に接続されている。
【００３４】
第１の接続部３２は、第１の枠棒３１２の両端に接続されている第１の横棒３１１の左右両側それぞれの下で、略水平方向に形成され、第１の接続スロット３３及び第１の挿入タブ３４が第２のマスク部４へ突起するように形成されている基棒３２１と、基棒３２１を第１の枠棒３１２の両端に接続されている第１の横棒３１１に連接するように形成されている３本の連接棒３２２と、を更に有している。
【００３５】
第２のマスク部４における第２の防護部４１は、両端部それぞれに第２の接続部４２が第１の接続部３２に対応して形成されている第２の横棒４１１Ａと、両端部それぞれ下から、第２の横棒４１１Ａの第２の接続部４２が形成される位置の手前の位置に接続されている第２の横棒４１１Ｂと、第２の横棒４１１Ｂの両側それぞれから延伸して、一端が第２の横棒４１１Ａの端に連接し、且つもう一端が第２の横棒４１１Ａの端と第２の横棒４１１Ｂが接続されている位置の間に連接するように二股に分かれて形成されている２つの側フレーム４１３と、両端それぞれが２つの側フレーム４１３それぞれに接続されている第２の横棒４１１Ｃと、３本の第２の横棒４１１を連接するように形成されている６本の第２の縦棒４１４と、第２の横棒４１１Ｃの下側から更に下へ突出するように形成されている下フレーム４１２と、により構成されている。
【００３６】
また、第１の横棒３１１と第１の縦棒３１３とが交差する箇所を略円弧状に形成することにより、該交差する箇所の厚さが大きくなるため強度を向上することができると共に、美観性を高めることもできる。
【００３７】
更に、各第１の横棒３１１、各第１の縦棒３１３、各第２の横棒４１１及び各第２の縦棒４１４は、いずれも装着者から見た前後方向における厚さが最も大きくなるように、即ち前後方向における厚さが上下方向における厚さよりも大きくなるように形成されている。
【００３８】
より詳しく言うと、図４に示されるように、第１の横棒３１１及び第２の横棒４１１は、前後方向における厚さＬ1が上下方向における厚さＨより厚く形成され、第１の縦棒３１３及び第２の縦棒４１４は、前後方向における厚さＬ２が左右方向における厚さＷより厚く形成されている。
【００３９】
上記の記載によれば、本発明のスポーツ用防護マスクは、第１のマスク部３と第２のマスク部４とをそれぞれマグネシウム合金で射出成形した後、第１の接続部３２と第２の接続部４２とを互いに溶接工程で固定することにより作製されている。つまり、本発明のスポーツ用防護マスクは、第１の接続部３２と第２の接続部４２とが互いに接続されている箇所のみが、溶接で固定されているので、従来のスポーツ用防護マスクと比べて溶接によって接続固定される強度の低い部分が少なく、殆ど一体に成形されている部分により構成されているので、マスクの強度を向上することができると共に、美観性を高めることもできる。
【００４０】
更に、第１の接続部３２と第２の接続部４２とが互いに接続されている箇所においても、第１の接続部３２及び第２の接続部４２にはそれぞれソケット状に形成された接続スロットと該接続スロットに挿し込んで接続することができる挿入タブが形成されているため、先ず、挿入タブを接続スロットに挿し込んでから、例えばリベットで挿入タブ及び接続スロットにそれぞれ形成された半田孔５を貫通することにより第１の接続部３２と第２の接続部４２とを互いに仮固定してから、溶接で固定することもできるので、第１の接続部３２と第２の接続部４２とが互いに接続されている箇所の強度を向上すると共に、精密な溶接作業を必要としないので、溶接工程にかかる人件費を抑えることもできる。
【産業上の利用可能性】
【００４１】
本発明のスポーツ用防護マスクは、球技運動中に選手の顔面を保護するために利用でき、また、野球の捕手の防護マスクとして使用することに特に好適である。
【符号の説明】
【００４２】
２  装着手段
３  第１のマスク部
４  第２のマスク部
３１  第１の防護部
３１１  第１の横棒
３１２  第１の枠棒
３１３  第１の縦棒
３２  第１の接続部
３２１  基棒
３２２  連接棒
３３  第１の接続スロット
３４  第１の挿入タブ
４１  第２の防護部
４１１  第２の横棒
４１１Ａ  第２の横棒
４１１Ｂ  第２の横棒
４１１Ｃ  第２の横棒
４１２  下フレーム
４１３  側フレーム
４１４  第２の縦棒
４２  第２の接続部
４３  第２の接続スロット
４４  第２の挿入タブ
５  半田孔
５１      溶接材
Ｌ１  前後方向における厚さ
Ｌ２  前後方向における厚さ
Ｈ  上下方向における厚さ
Ｗ  左右方向における厚さ
【図１】
2016112413.tif 000003
【図２】
2016112413.tif 000004
【図３】
2016112413.tif 000005
【図４】
2016112413.tif 000006
【図５】
2016112413.tif 000007